(57)【要約】【課題】非常時もしくは電源のない所に自由に移動し、屋外など地盤の悪いところでも使えて、持ち運びが楽な移動式照明を得るために、小型で低コストが可能となり、充電や消費のための入力電源は、周波数の異なるものにも対応できるＡＣ１００〜２４０ＶのワイドレンジのほかＤＣ１２Ｖからの充電が可能な移動式照明システムを得るにある。【解決手段】上記目的を達成するために、ＤＣ１２Ｖの蓄電池と、ＤＣ−ＡＣインバータと、電子式蛍光灯ランプの照明器具と、入力ＡＣ１００Ｖ〜ＡＣ２４０Ｖで定電流―定電圧回路を具備した充電器と、アウトリガーを具備した取付け台と、前記充電器と前記インバータの間に、前記ＤＣ１２Ｖのバッテリーをフローティング接続させた回路からなる移動式照明システムを構成している。【選択図】          図１
2006172733.tif 000002
【特許請求の範囲】
【請求項１】
ＤＣ１２Ｖの蓄電池と、ＤＣ−ＡＣインバータと、電子式蛍光灯ランプの照明器具と、入力ＡＣ１００Ｖ〜ＡＣ２４０Ｖで定電流―定電圧回路を具備した充電器と、アウトリガーを具備した取付け台と、前記充電器と前記インバータの間に、前記ＤＣ１２Ｖのバッテリーをフローティング接続させた回路からなることを特徴とする移動式照明システム。
【発明の詳細な説明】
【技術分野】
【０００１】
本発明は、移動式照明システムに関する。
【背景技術】
【０００２】
従来、地震や台風などの災害時に電力会社の送電が止まったときに、移動式の非常用照明としては、発電機で発電し投光器等で照明灯を得ることが多い。しかし、発電機は、燃料を燃焼する際に排気ガスが出ることや、騒音が生じるので室内で使うには相応しくないし、重量物で、形状もバラバラで持ち運びや収納も面倒である。
【０００３】
また、例えば、従来技術として、非常用点灯装置および防災照明装置（特開平８−３３００７７）があるが、これは、バッテリーと；常用交流電源の出力電圧から直流電圧を得る直流電源装置とからなり、通常時には冷陰極放電灯が寿命末期になると、寿命末期検出装置が検出し寿命末期時の過電圧により点灯装置、冷陰極放電灯に印可し続けて破壊等の問題を生じさせない。というもので、この様に従来は、非常用照明とは避難用の誘導灯であり、機能的にも建物の付帯設備である常用交流電源とバッテリー内蔵の誘導灯に関するもので、可搬式のバッテリーを用いた物ではないので持ち運びができない照明装置である。
【０００４】
また一方、近年、乗用車の１２Ｖのバッテリー電源から照明をとることもできるが、ＤＣ電源をインバータにより変換して出力ＡＣ１００Ｖで使う場合、バッテリーの劣化や残量が負荷に影響を与えて、電圧変動がそのままインバータに印加されてしまうので、二次側の照明負荷は電圧変動で立ち消えなどの弊害が起きる。この電圧変動はインバータにも負担をかけ、インバータの故障の原因になってしまうという欠点があった。
【特許文献１】特開平０８−３３００７７
【発明の開示】
【発明が解決しようとする課題】
【０００５】
本発明は以上のような従来の欠点に鑑み、非常時もしくは電源のない所に自由に移動し、屋外など地盤の悪いところでも使えて、持ち運びが楽な移動式照明を得るために、バッテリーを搭載した照明システムとするが、このとき、ＡＣ電源とＤＣ電源との切り替えスイッチを必要とせず、小型で低コストが可能となり、充電や消費のための入力電源は、周波数の異なるものにも対応できるＡＣ１００〜２４０ＶのワイドレンジのほかＤＣ１２Ｖからの充電が可能な移動式照明システムを提供することを目的としている。
【０００６】
本発明の前記ならびにそのほかの目的と新規な特徴は次の説明を添付図面と照らし合わせて読むと、より完全に明らかになるだろう。  ただし、図面はもっぱら解説のためのものであって、本発明の記述範囲を限定するものではない。
【課題を解決するための手段】
【０００７】
上記目的を達成するために、ＤＣ１２Ｖの蓄電池と、ＤＣ−ＡＣインバータと、電子式蛍光灯ランプの照明器具と、入力ＡＣ１００Ｖ〜ＡＣ２４０Ｖで定電流―定電圧回路を具備した充電器と、アウトリガーを具備した取付け台と、前記充電器と前記インバータの間に、前記ＤＣ１２Ｖのバッテリーをフローティング接続させた回路からなる移動式照明システムを構成している。
【発明の効果】
【０００８】
以上の説明から明らかなように、本発明にあたっては次に列挙する効果が得られる。
（１）ＤＣ１２Ｖの蓄電池と、ＤＣ−ＡＣインバータと、電子式蛍光灯ランプの照明器具と、入力ＡＣ１００Ｖ〜ＡＣ２４０Ｖで定電流―定電圧回路を具備した充電器と、アウトリガーを具備した取付け台と、前記充電器と前記インバータの間に、前記ＤＣ１２Ｖのバッテリーをフローティング接続させた回路からなる移動式照明システムの構成要件とで構成されているので、僻地や災害現場など、場所を選ばずどこにでも運んで、女性や子供でも、手軽に組み立て、スイッチをオンするだけで照明装置を得ることができる。
【０００９】
（２）前記（１）によって、バッテリーを充電しているとき、バッテリー端子の両端はＤＣ１３．６Ｖ以上にはならない。したがって、バッテリーが接続されることにより、充電器は出力電圧を自動的に必要以上に高くしない。
【００１０】
（３）前記（１）によって、電圧変動が少ないので可搬式の安定化電源として使えるので、災害などの緊急時に人工呼吸器などの医療器具にも使える。
【００１１】
（４）前記（１）によって、ＡＣ１００Ｖ用の器具が異常電圧で焼損することがない。
【００１２】
（５）前記（１）によって、国内のＡＣ１００Ｖだけでなく、電力事情の悪い海外でも充電が可能となる。
【００１３】
（６）前記（１）によって、入力ＡＣ１００Ｖ〜ＡＣ２４０Ｖからの充電ができないところでは、ＤＣ１２Ｖの乗用車のバッテリーや、シガーライターからも充電することができる。したがって、乗用車の運転中にシガーライターから充電すると、ガソリンの消費も少なく充電が可能となる。
【００１４】
（７）前記（１）によって、ソーラーパネルや、風力からの自然エネルギーを利用した充電もできる。
【００１５】
（８）前記（１）によって、非常時以外に、照明装置がない屋内において簡易的に使用する場合には、入力ＡＣ１００Ｖ〜ＡＣ２４０Ｖのコンセントに電源を印可させていると、バッテリーを補充電しながら照明装置を点灯させ続けることができる。
【００１６】
（９）前記（１）によって、インバータの出力１００Ｖ予備コンセントから、携帯電話の充電や、パソコンの電源に使用することができる。
【００１７】
（１０）前記（１）によって、取付け台が照明装置を転倒させないための簡易電柱の役割を果たして、地震や台風などの災害時の地盤が悪いところでも装置を安定させて使用することができる。
【発明を実施するための最良の形態】
【００１８】
本発明の実施の形態について図面に基づき詳細に説明する。
【実施例１】
【００１９】
図１は回路の構成図で本発明を実施するための第一の形態において、ＤＣ１２Ｖの蓄電池（１）と、ＤＣ−ＡＣインバータ（２）と、電子式蛍光灯ランプの照明器具（３）と、入力ＡＣ１００Ｖ〜ＡＣ２４０Ｖで定電流一定電圧回路を具備した充電器（４）と、アウトリガーを具備した取付け台（５）と、前記充電器と前記インバータの間に、前記ＤＣ１２Ｖのバッテリーをフローティング接続（６）させている。
【００２０】
図２は本発明の全体の姿図である。最良の形態において、アウトリガーを具備した取付け台（５）は、できるだけ収納スペースをとらない大きさで、持ち運びが楽な小型・軽量が良い。そして、この取付け台は、収納ケースと本システムの機能を働かせる制御盤の役割も果たす。
【００２１】
前記取付け台（５）は、中に入ったバッテリー（１）を重しとして、アウトリガーを挿入する溝にアウトリガー（７）を挿入させて、且つアウトリガーを伸ばし、地面に固定させ照明装置の土台とさせる。
【００２２】
前記取付け台の外側には、電子式蛍光灯ランプ部のＯＮ、ＯＦＦのスイッチ（８）と、ＡＣコンセント（９）及びＤＣコンセント（１０）がある。
【００２３】
前記取付け台の内部には、伸縮ポールを立てる治具（１１）と、前記取付け台に固定された電源のバッテリー（１）と、直流を交流にするインバータ（２）と、ＡＣ１００Ｖ出力の予備コンセント（１２）と、ＡＣ１００Ｖ〜ＡＣ２４０Ｖ或いはＤＣ１２Ｖでバッテリーに充電するフルオート充電器（４）とが据え付けられている。
【００２４】
そして、取付け台の中に収納されている、使用時に点灯させる電子式蛍光灯ランプ部（３）と、前記ランプ部を取り付ける角度調節の固定治具（１３）と、前記ポールの固定治具（１１）で支える伸縮ポール（１４）と、前記アウトリガー（７）とを取り出し、それぞれの治具にセットする。
【００２５】
ＡＣ１００Ｖ〜ＡＣ２４０Ｖ或いはＤＣ１２Ｖでバッテリーに充電するフルオート充電器（４）は、入力ＡＣ１００Ｖ〜ＡＣ２４０Ｖのコンセント（９）及びＤＣ１２Ｖコンセント（１０）を備え、いずれからでも充電できる。
【００２６】
バッテリーが消耗しているときは、空の度合いに関係なく一定電流で充電し、終息時に満充電になったら定電圧充電となる。これは、頭打ちの一定の電圧をかけ電流が減少しそれ以上に充電が過ぎないように動作させるから可能となる。
【００２７】
また、入力ＡＣから充電しながら、同時に頭上照明、又はほかの器具を使用すると、バッテリーは放電を始め、電圧の低下が起こる。このとき充電器は定電流を供給し始めるので、負荷はこの電力により点灯し、バッテリーは消耗しない。つまり、充電器から内部インバータに電力を平行供給し、入力電圧がＡＣ１００Ｖから２４０Ｖのワイドレンジでも無関係に負荷は働く。
【００２８】
持ち運びが楽なことが課題となっているので、バッテリーは小型であることが望ましいが、短時間で消耗してしまっては目的を達することにならない。したがって、効率の良いランプを選別する事になる。ハロゲンランプは効率が悪い、水銀灯は効率良く明るいが消費電力が大きい。そうして、蛍光灯ランプは白熱ランプの４〜６倍の明るさを得られるので、蛍光灯を使う事が適切である。
【００２９】
そして、負荷を６０Ｗ／ＡＣ１００Ｖとした場合のバッテリーの容量と点灯時間の関係を考察すると、
バッテリーが１２Ｖ／２２Ａｈとした場合、
１２Ｖ×２２Ａｈ＝２６４Ｗ…………供給側
インバータの効率を計算に入れると負荷の必要電力は
６０Ｗ＝６６．６Ｗ÷０．９％
故に単純計算すると供給電力２６４Ｗ÷負荷電力６６．６Ｗ（Ｈ）＝３．９６Ｈ即ち、約４時間程度となる。
しかし、バッテリーの出力は電圧×電流＝平均電力であり、交流である負荷の電力は、実効電力で平均すると出力電圧は１００Ｖを必要としない。
ＡＣ電源の電流は波を形成し、平均電流はずいぶん低いところにあり、実質、直流の場合は交流の７０％程度となる。したがって、交流の電子式蛍光灯ランプを負荷に使い、直流の矩形波で電圧を７０％程度で点灯させると、約４時間程度の点灯時間を１．５倍以上引き延ばすことを可能にした。
【００３０】
転倒防止のアウトリガー（７）はアルミニュームや樹脂などの軽量な材料を用い、少なくても２段以上の縮長を持たせると悪い地盤でも安定性を図ることができる。
【００３１】
取付け台の内部に具備された伸縮ポールを立てる治具により、伸縮ポール下部にあるボルトはしっかり固定させる。
【００３２】
また、伸縮ポール（１４）の先端には、電子式蛍光灯ランプ部とランプ部（３）を取り付ける角度調節の固定治具（１３）があり、これらが上部から落下すると危険なので、ランプの角度調節の固定治具と伸縮ポールとはボルトナット等でしっかり固定されなければならない。
【００３３】
入力ＡＣコンセントと、商用電源の間に、オプションの振動センサーと明かりセンサーの組み合わせ機器を使用すると、暗くなり、地震を検出したとき自動的に点灯する災害照明装置ともなる。
【００３４】
バッテリーは、横倒しができる完全シールバッテリーを使用し、容量は、一つの例として２７Ｗの電子式蛍光灯ランプを２灯使用で６時間以上、１灯では１２時間の連続点灯を維持するのに必要な容量は２２Ａｈであった。このケースを含めた総重量は約１５ｋｇで一般的に持ち運びができる重さである。
【００３５】
上記構成の可搬式照明システムの使用方法は、通常は図３の様に収納ケースに収まっていて、使用時に、電子式蛍光灯ランプ部とランプ部を取り付ける角度調節の固定治具と、固定治具を支える伸縮ポールと、アウトリガーの一式を取り出す。
そして、収納ケースを縦型に設置し、伸縮ポールをケース固定治具により固定し、電子式蛍光灯ランプ部とランプ部を取り付ける角度調節の固定治具を伸縮ポールに固定し、収納ケースのアウトリガーの溝に３本のアウトリガーを挿入し、地面の角度に合わせてアウトリガーの角度を固定させ、収納ケースの外側にあるランプ部の点灯スイッチをＯＮにすると照明装置が点灯する。
そして、バッテリーが空になったときには、ＡＣ１００Ｖ〜ＡＣ２４０Ｖのコンセントか、またはＤＣ１２Ｖコンセントから充電できるので、バッテリーの自己放電分を、ソーラーパネルや風力からの自然エネルギーを利用して充電することも可能である。
【００３６】
また、非常時以外に、照明装置がない屋内において簡易的に使用する場合には、ＡＣ１００Ｖ〜ＡＣ２４０Ｖのコンセントに電源を印可させていると、バッテリーを消耗しないで照明装置を点灯させ続けることができ、商用電源が停電になったときには、本装置はバッテリーによって自動的に点灯していることとなる。
【００３７】
ＡＣ１００Ｖ〜ＡＣ２４０Ｖからの充電ができないところでは、ＤＣ１２Ｖの乗用車のバッテリーや、シガーライターからも充電できるが、バッテリーへの充電には１２Ｖ以上を必要とするので、車のエンジンはアイドリング状態で充電できない場合には、エンジンをかければダイナモによって充電がスムーズに行われるだろう。また、乗用車の運転移動中にシガーライターから充電すると、ガソリンの消費も少なく充電が可能となる。
【図面の簡単な説明】
【００３８】
【図１】本発明を実施するための第１の形態の動作回路である。
【図２】本発明を実施するための第１の形態を現した姿図である。
【図３】本発明を実施するための第１の形態を現した収納図である。
【符号の説明】
【００３９】
１  バッテリー
２  ＤＣ−ＡＣインバータ
３  電子式蛍光灯ランプ
４  充電器
５  取付け台
６  フローティング接続
７  アウトリガー
８  ＯＮ、ＯＦＦスイッチ
９  ＡＣコンセント
１０  ＤＣコンセント
１１  伸縮ポール固定治具
１２  出力予備コンセント
１３  ランプ角度調節治具
１４  伸縮ポール
【図１】
2006172733.tif 000003
【図２】
2006172733.tif 000004
【図３】
2006172733.tif 000005